(57)【要約】【課題】睡眠時に尿を洩らす心配をせずに済み、尿臭の拡散も少なく、周囲に不快感を与えず室内で使用できる尿受け装置を提供する。【解決手段】男性の泌尿器に外嵌される弾性サック状の尿受け具６と、使い捨て自在なペットボトル３と、上記ペットボトル３の雄ねじに着脱自在に螺着可能な雌ねじを有し、かつ、エア抜き小孔及びチューブ連結孔を有するキャップ４と、上記尿受け具６に先端が取付られると共に、上記キャップ４の上記チューブ連結孔に嵌着された可撓性チューブ５と、を備える。【選択図】図１
2020199243.tif 000002
【特許請求の範囲】
【請求項１】
男性の泌尿器に外嵌される弾性サック状の尿受け具（６）と、
使い捨て自在なペットボトル（３）と、
上記ペットボトル（３）の雄ねじに着脱自在に螺着可能な雌ねじを有し、かつ、エア抜き小孔（８）及びチューブ連結孔（１１）を有するキャップ（４）と、
上記尿受け具（６）に先端が取付られると共に、上記キャップ（４）の上記チューブ連結孔（１１）に基端が嵌着された可撓性チューブ（５）と、
を備えたことを特徴とする尿受け装置。
【請求項２】
男性の泌尿器に外嵌される弾性サック状の尿受け具（６）と、
該尿受け具（６）の大径部（６Ａ）に嵌着された補強用輪切円形環（２１）と、
使い捨て自在なペットボトル（３）と、
上記ペットボトル（３）の雄ねじに着脱自在に螺着可能な雌ねじを有し、かつ、エア抜き小孔（８）及びチューブ連結孔（１１）を有するキャップ（４）と、
上記尿受け具（６）に先端が取付られると共に、上記キャップ（４）の上記チューブ連結孔（１１）に基端が嵌着された可撓性チューブ（５）と、
を備えたことを特徴とする尿受け装置。
【請求項３】
男性の泌尿器に外嵌される弾性サック状の尿受け具（６）と、
使い捨て自在なペットボトル（３）と、
上記ペットボトル（３）の雄ねじに着脱自在に螺着可能な雌ねじを有し、かつ、エア抜き小孔（８）及びチューブ連結孔（１１）を有するキャップ（４）と、
上記尿受け具（６）に先端が取付られると共に、上記キャップ（４）の上記チューブ連結孔（１１）に基端が嵌着された可撓性チューブ（５）と、
上記ペットボトル（３）の下部が、上方から挿入される上方開口状のボトル受け部（２）と、
上記ボトル受け部（２）を上面に固着した底板（１）と、
該底板（１）から上方へ立設されて上記チューブ（５）を保持する支柱体（７）と、
を備えたことを特徴とする尿受け装置。
【請求項４】
男性の泌尿器に外嵌される弾性サック状の尿受け具（６）と、
該尿受け具（６）の大径部（６Ａ）に嵌着された補強用輪切円形環（２１）と、
使い捨て自在なペットボトル（３）と、
上記ペットボトル（３）の雄ねじに着脱自在に螺着可能な雌ねじを有し、かつ、エア抜き小孔（８）及びチューブ連結孔（１１）を有するキャップ（４）と、
上記尿受け具（６）に先端が取付られると共に、上記キャップ（４）の上記チューブ連結孔（１１）に基端が嵌着された可撓性チューブ（５）と、
上記ペットボトル（３）の下部が、上方から挿入される上方開口状のボトル受け部（２）と、
上記ボトル受け部（２）を上面に固着した底板（１）と、
該底板（１）から上方へ立設されて上記チューブ（５）を保持する支柱体（７）と、
を備えたことを特徴とする尿受け装置。
【請求項５】
上記チューブ（５）が挿入される金属製のチューブ保護用コイル体（９）を付設した請求項１，２，３又は４記載の尿受け装置。
【請求項６】
上記支柱体（７）は、その上端に、チューブ（５）を引掛ける螺旋状受け部（１０）を有する請求項１，２，３又は４記載の尿受け装置。
【請求項７】
上記ボトル受け部（２）は、上記ペットボトル（３）の下部が、密嵌状に挿入される枡形である請求項２又は４記載の尿受け装置。
【請求項８】
保管用袋（３１）に尿受け装置全体が収納される請求項３，４，５，６又は７記載の尿受け装置。
【発明の詳細な説明】
【技術分野】
【０００１】
本発明は、尿受け装置に関する。
【背景技術】
【０００２】
従来、ペットボトル利用の尿瓶として、ペットボトルを逆さ、又は横向きで、上面に開口部を設けて尿受けとして用いたものが知られている（特許文献１参照）。
【先行技術文献】
【特許文献】
【０００３】
【特許文献１】特開２００２−９５６０８号公報
【発明の概要】
【発明が解決しようとする課題】
【０００４】
しかし、特許文献１記載の尿瓶は、尿受け部が開いており、周囲に尿臭が拡散して使用者の周囲に不快感を与える欠点があった。特に、渋滞時等に乗用車内で尿瓶を使用する場合、車内空間の狭さから、同乗者に不快感を与えるという問題があった。
【０００５】
そこで、本発明は、尿臭の拡散を防止し、周囲に不快感を与えず（渋滞時等の）車内及び室内で使用できる尿受け装置を提供することを目的とする。さらに、高齢者等の身体弱者も、ベッドの上で眠っている間も（お洩らしせずに）安心して熟睡できるようにすることを目的とする。また、年齢を重ねると、夜中にトイレへ行く回数が多くなり、トイレまでの辛抱ができず洩らすことがあるため、ベッドから離れずに用を足せる便利が良い尿受け装置を提供することを目的とする。
【課題を解決するための手段】
【０００６】
本発明に係る尿受け装置は、男性の泌尿器に外嵌される弾性サック状の尿受け具と、使い捨て自在なペットボトルと、上記ペットボトルの雄ねじに着脱自在に螺着可能な雌ねじを有し、かつ、エア抜き小孔及びチューブ連結孔を有するキャップと、上記尿受け具に先端が取付られると共に、上記キャップの上記チューブ連結孔に基端が嵌着された可撓性チューブと、を備えたものである。
【０００７】
また、男性の泌尿器に外嵌される弾性サック状の尿受け具と、該尿受け具の大径部に嵌着された補強用輪切円形環と、使い捨て自在なペットボトルと、上記ペットボトルの雄ねじに着脱自在に螺着可能な雌ねじを有し、かつ、エア抜き小孔及びチューブ連結孔を有するキャップと、上記尿受け具に先端が取付られると共に、上記キャップの上記チューブ連結孔に基端が嵌着された可撓性チューブと、を備えたものである。
【０００８】
また、男性の泌尿器に外嵌される弾性サック状の尿受け具と、使い捨て自在なペットボトルと、上記ペットボトルの雄ねじに着脱自在に螺着可能な雌ねじを有し、かつ、エア抜き小孔及びチューブ連結孔を有するキャップと、上記尿受け具に先端が取付られると共に、上記キャップの上記チューブ連結孔に基端が嵌着された可撓性チューブと、上記ペットボトルの下部が、上方から挿入される上方開口状のボトル受け部と、上記ボトル受け部を上面に固着した底板と、該底板から上方へ立設されて上記チューブを保持する支柱体と、を備えたものである。
【０００９】
また、男性の泌尿器に外嵌される弾性サック状の尿受け具と、該尿受け具の大径部に嵌着された補強用輪切円形環と、使い捨て自在なペットボトルと、上記ペットボトルの雄ねじに着脱自在に螺着可能な雌ねじを有し、かつ、エア抜き小孔及びチューブ連結孔を有するキャップと、上記尿受け具に先端が取付られると共に、上記キャップの上記チューブ連結孔に基端が嵌着された可撓性チューブと、上記ペットボトルの下部が、上方から挿入される上方開口状のボトル受け部と、上記ボトル受け部を上面に固着した底板と、該底板から上方へ立設されて上記チューブを保持する支柱体と、を備えたものである。
【００１０】
また、上記チューブが挿入される金属製のチューブ保護用コイル体を付設したものである。
また、上記支柱体は、その上端に、チューブを引掛ける螺旋状受け部を有するものである。
また、上記ボトル受け部は、上記ペットボトルの下部が、密嵌状に挿入される枡形である。
また、保管用袋に尿受け装置全体が収納されるものである。
【発明の効果】
【００１１】
本発明の尿受け装置によれば、高齢者や体の弱った人（身体弱者ということもある）が、睡眠時にも尿を洩らす心配をせずに済み、安眠可能となる。また、尿臭の拡散を防止し、周囲に不快感を与えずに室内、又は渋滞時等の車内で使用できる。ペットボトルは使い捨て自在であるので、数回で捨てて、新しいものに容易に交換して、尿臭の発生を低減できる。
【図面の簡単な説明】
【００１２】
【図１】本発明の実施の一形態を示す斜視図である。
【図２】キャップ近傍の詳細構造を示す要部拡大図である。
【図３】本発明の尿受け装置の使用状態を示す正面図である。
【図４】本発明の尿受け装置の使用状態を示す側面図である。
【図５】本発明の他の実施の形態を示す斜視図である。
【図６】尿受け具の他の実施の形態を示す図であり、（Ａ）は側面図、（Ｂ）は変形例の断面図である。
【図７】本発明の尿受け装置の保管袋を示す全体図である。
【図８】変形例を示した要部斜視図である。
【発明を実施するための形態】
【００１３】
以下、図示の実施の形態に基づき本発明を詳説する。
図１、図２に示した実施の形態に於て、１は、全体を支えるための底板であり、２は、ペットボトル３を受けて保持するためのボトル受け部であり、ボトル受け部２は平面視正方形として底板１の上面に接着剤、クギ、又はネジ等で固着される。なお、ボトル受け部２は、接着剤等による固着前は底壁のない前後左右の側壁のみとして、底板１に接着することで枡形とするか、あるいは、予め底壁部を有する枡形としておいて、これを底板１に接着してもよい。なお、底板１とボトル受け部２とを樹脂製で一体に形成してもよい。
いずれにせよ、ボトル受け部２は、市販の使い捨て自在なペットボトル３の下部が、上方から挿入され、鉛直に保持する上方開口状であり、しかも、このボトル受け部２の内寸法は、ペットボトル３の下部が密嵌状に挿入されて、ペットボトル３が、がたつかずに鉛直姿勢を保つ。
【００１４】
５は可撓性チューブであり、透明な軟質プラスチック（樹脂）とする。４は、（市販の）ペットボトル３の雄ねじに着脱自在に螺着可能な雌ねじを有するキャップである。このキャップ４は、エア抜き小孔８及びチューブ連結孔１１を有する。
可撓性チューブ５の先端には、男性の泌尿器に外嵌される弾性サック状の尿受け具６が取着される。また、尿受け具６は、具体的には、男性の泌尿器が挿入される大径部６Ａと、チューブ５の先端が挿入固着される小径の短管状部６Ｂとから成る。
【００１５】
そして、キャップ４のチューブ連結孔１１にチューブ５の基端が嵌着される。また、底板１から上方へ支柱体７が立設されている。この支柱体７によって、チューブ５を適切な形状となるように、引掛け状に保持することができる。
そして、９は、チューブ５が挿入される金属製のチューブ保護用コイル体である。
【００１６】
図１、図３に示すように、底板１に立設された（金属線材製等の）支柱体７は、その上端（さらには所望により中間高さ）に、チューブ５を引掛けることができる螺旋状受け部１０を設けている。なお、螺旋状受け部１０に対して、チューブ５を引掛ける場合としては、チューブ５の未使用時、あるいは、使用状態下で長さが余って垂みがでる時、又は尿がスムースにペットボトル３に流れ易いように（できるだけ）垂みを生じないで上方から下方へ傾斜をつけたい時である。
この支柱体７は、アルミニウム等の柔軟な金属の線材から作製することが好ましい。即ち、身体弱者が、この支柱体７の上に、万一倒れ込んでも怪我をしないという利点がある。なお、図８に示すように、支柱体７の基端部にネジ７Ａを形成し、底板１に埋設したナット１Ａに螺合させる構造とするも好ましい。これにより、尿受け装置をコンパクトに梱包して流通させることができ、また、収納状態をコンパクトにできる。
【００１７】
図２は、キャップ４の周辺部分を示す拡大図であり、繰り返しての説明となるが、キャップ４は、尿が流入しやすくするためにエア抜き小孔８を有し、チューブ５は、圧迫を受けた際に変形、破損を防ぐための保護用コイル体９により補強されている。
使用時には、チューブ５の先端乃至は中間部位を支柱体７からはずして尿受け具６で尿を受け、チューブ５を通してペットボトル３に流し込む。この際、キャップ４に形成された小孔８によりエアが抜けて、尿が速やかにペットボトル３に流れこみ、一時貯蔵される。
【００１８】
図３と図４に、本発明の尿受け装置の使用状態を示す。本図においては、ベッドに寝た状態の使用者（高齢者等、夜間の尿漏れの不安がある者）が尿受け具６を泌尿器に装着し、夜間の尿漏れに対応している状態を示している。ペットボトル３は、ボトル受け部２に嵌着され、ボトル受け部２は、底板１に支えられて、夜間にペットボトル３が倒れる心配がない。また、ペットボトル３を保持するボトル受け部２が存在することで、いつでも使用でき、かつ、数回使用して、トイレへ流しにペットボトル３のみをもってゆけば、ペットボトル３の簡易な洗浄にて再利用できる（リサイクルトイレということができる）。また、チューブ５は、保護用コイル体９により補強されているため、使用者が睡眠中に体の一部で圧迫しても閉塞されず、スムースに尿が流れる利点がある。また、ペットボトル３は、所望により、取り替え自在（使い捨て自在）であり、常に衛生的な状態で使用できる。
【００１９】
図５は、本発明の他の実施形態を示す。本実施形態では、（図１〜図３で示したボトル受け部２及び底板１（及び支柱体７）が省略されている。本実施形態は、車両等の内部で、渋滞時等に使用するために携帯するも好適である。使用者は尿受け具６を泌尿器に装着し、尿を速やかにペットボトル３に流し込み、一時貯蔵する。
その後、尿を廃棄できる場所に到着したときにペットボトル３内の尿を廃棄する。
あるいは、図５に図示のものを、（図示省略の）吊り下げ具等で携帯して、屋内で移動する際や、テレビ等を鑑賞する際に使用するにも好適である。
【００２０】
ところで、図１又は図３〜図５において、キャップ４には、図２の要部拡大図に示す如く、チューブ連結孔１１とエア抜き小孔８を有しているが、別途、このような連結孔１１と小孔８の明いていない（市販の）通常のキャップを準備しておくのが望ましい。即ち、尿の入ったペットボトル３内の尿をトイレへ捨てに行く際に、元の上記キャップ４を離脱して、代りに、この（市販の）通常のキャップを施蓋すれば、尿をこぼすことなくトイレへ持って行くことができて、望ましい。特に、車内では、好都合である。なお、トイレで中味（尿）を捨てて再利用（リサイクル）も可能である。
【００２１】
図６は、尿受け具６の他の実施形態を示す。本実施形態では、図６（Ａ）に示すように、尿受け具６の大径部６Ａに外嵌され、大径部６Ａの長さＬの４０％〜８０％の幅寸法Ｗを有する補強用輪切円形環２１を、備える。
輪切円形環２１は、樹脂又は硬質のゴムから成り、適度の強度と柔軟性を有する。そして、弾性サック状の尿受け具６が、横断面形状が円形から偏平状態となって、上端が垂れ下がる方向に変形することを防止し、尿受け具６でより容易かつ確実に尿を受けることを可能にするものである。
輪切円形環２１は、大径部６Ａの長さＬの４０％〜８０％の幅寸法Ｗを有することが望ましい。下限値より小さいと、尿受け具６の補強効果が弱くなり、上限値より大きいと、尿受け具６全体の剛性が高くなり、使用しにくくなる。
なお、輪切円形環２１は、図６（Ｂ）の変形例に示すように、大径部６Ａの内側に内嵌されるもよい。この場合、弾性サック状の尿受け具６の弾性により輪切円形環２１の保持性がよりよくなる。
【００２２】
なお、図７に示すように、尿受け装置を使用しないときには、保管用袋３１に、尿受け装置全体を収納しておくことが、衛生上及び美観上の観点から望ましい。保管用袋３１の材質は、繊維で織られた布等の通気性のあるものが好ましい。
【００２３】
本発明は、上述の実施例に限定されず、例えば、ボトル受け部２の形状は、枡形に限らず、ペットボトル３が安定して嵌着される平面視円形や六角形等の形状であっても自由である。また、ペットボトル３も、飲料を消費した後の市販のペットボトルを使用でき、その形状も特に制限されない。また、図１，図２，図５に示したコイル体９は、省略しても良い場合もある。例えば、チューブ５に圧迫力等を受けない場合には省略する。
【００２４】
本発明は以上詳しく説明したように、男性の泌尿器に外嵌される弾性サック状の尿受け具６と、使い捨て自在なペットボトル３と、上記ペットボトル３の雄ねじに着脱自在に螺着可能な雌ねじを有し、かつ、エア抜き小孔８及びチューブ連結孔１１を有するキャップ４と、上記尿受け具６に先端が取付られると共に、上記キャップ４の上記チューブ連結孔１１に基端が嵌着された可撓性チューブ５と、を備えたので、室内にて使いやすく、しかも、車両等の内部で、渋滞時等に使用できる。ペットボトル３が取り替え自在（使い捨て自在）であるため、常に衛生的な状態で使用できる。
【００２５】
また、男性の泌尿器に外嵌される弾性サック状の尿受け具６と、該尿受け具６の大径部６Ａに嵌着された補強用輪切円形環２１と、使い捨て自在なペットボトル３と、上記ペットボトル３の雄ねじに着脱自在に螺着可能な雌ねじを有し、かつ、エア抜き小孔８及びチューブ連結孔１１を有するキャップ４と、上記尿受け具６に先端が取付られると共に、上記キャップ４の上記チューブ連結孔１１に基端が嵌着された可撓性チューブ５と、を備えたので、尿受け具６が偏平状態となって上端部が垂れ下がることを防止でき、室内にて使いやすく、しかも、車両等の内部で、渋滞時等に使用できる。ペットボトル３が取り替え自在（使い捨て自在）であるため、常に衛生的な状態で使用できる。
【００２６】
また、男性の泌尿器に外嵌される弾性サック状の尿受け具６と、使い捨て自在なペットボトル３と、上記ペットボトル３の雄ねじに着脱自在に螺着可能な雌ねじを有し、かつ、エア抜き小孔８及びチューブ連結孔１１を有するキャップ４と、上記尿受け具６に先端が取付られると共に、上記キャップ４の上記チューブ連結孔１１に基端が嵌着された可撓性チューブ５と、上記ペットボトル３の下部が、上方から挿入される上方開口状のボトル受け部２と、上記ボトル受け部２を上面に固着した底板１と、該底板１から上方へ立設されて上記チューブ５を保持する支柱体７と、を備えたので、高齢者等が夜間の睡眠中の尿漏れに対応でき、尿を洩らす心配をせずに済み、安眠できる。また、目が覚めた時には、ベッドの近くで、立って使用し、あるいは、ベッドの端に座って使用できる。また、ペットボトル３が取り替え自在（使い捨て自在）であるため、常に衛生的な状態で使用でき、さらに、尿臭の発生を低減できる。
【００２７】
また、男性の泌尿器に外嵌される弾性サック状の尿受け具６と、該尿受け具６の大径部６Ａに嵌着された補強用輪切円形環２１と、使い捨て自在なペットボトル３と、上記ペットボトル３の雄ねじに着脱自在に螺着可能な雌ねじを有し、かつ、エア抜き小孔８及びチューブ連結孔１１を有するキャップ４と、上記尿受け具６に先端が取付られると共に、上記キャップ４の上記チューブ連結孔１１に基端が嵌着された可撓性チューブ５と、上記ペットボトル３の下部が、上方から挿入される上方開口状のボトル受け部２と、上記ボトル受け部２を上面に固着した底板１と、該底板１から上方へ立設されて上記チューブ５を保持する支柱体７と、を備えたので、尿受け具６が偏平状態となって上端部が垂れ下がることを防止でき、使用が容易である。また、高齢者等が夜間の睡眠中の尿漏れに対応でき、尿を洩らす心配をせずに済み、安眠できる。また、目が覚めた時には、ベッドの近くで、立って使用し、あるいは、ベッドの端に座って使用できる。また、ペットボトル３が取り替え自在（使い捨て自在）であるため、常に衛生的な状態で使用でき、さらに、尿臭の発生を低減できる。
【００２８】
また、上記チューブ５が挿入される金属製のチューブ保護用コイル体９を付設したので、使用者が睡眠中に体の一部で圧迫したり、あるいは、使用者が起き上がる際に、チューブ５を圧迫しても、チューブ５が尿を堰止めることを防止することができる。さらに、チューブ５が破損することがない。
【００２９】
また、上記支柱体７は、その上端に、チューブ５を引掛ける螺旋状受け部１０を具備するので、使用中に余った部位を引掛けておいたり、尿の流れをスムースとするチューブ形状に保持できる。あるいは、チューブ５を未使用時にコンパクトにまとめておくことが可能である。
【００３０】
また、上記ボトル受け部２は、上記ペットボトル３の下部が、密嵌状に挿入される枡形であるので、人が不意に衝突しても（当たっても）、ペットボトル３が転倒することがない。
【００３１】
また、尿受け装置全体を保管用袋３１に収納しておくため、使用時以外の場合において衛生及び美観を維持できる。
【符号の説明】
【００３２】
１  底板
２  ボトル受け部
３  ペットボトル
４  キャップ
５  チューブ
６  尿受け具
６Ａ  大径部
７  支柱体
８  エア抜き小孔
９  コイル体
１０  螺旋状受け部
１１  チューブ連結孔
２１  輪切円形環
３１  保管用袋
【図１】
2020199243.tif 000003
【図２】
2020199243.tif 000004
【図３】
2020199243.tif 000005
【図４】
2020199243.tif 000006
【図５】
2020199243.tif 000007
【図６】
2020199243.tif 000008
【図７】
2020199243.tif 000009
【図８】
2020199243.tif 000010
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
男性の泌尿器に外嵌される弾性サック状の尿受け具（６）と、
該尿受け具（６）の大径部（６Ａ）の内側に内嵌され、大径部（６Ａ）の長さ（Ｌ）の４０〜８０％の幅寸法（Ｗ）を有する補強用輪切円形環（２１）と、
使い捨て自在なペットボトル（３）と、
上記ペットボトル（３）の雄ねじに着脱自在に螺着可能な雌ねじを有し、かつ、エア抜
き小孔（８）及びチューブ連結孔（１１）を有するキャップ（４）と、
上記尿受け具（６）に先端が取付られると共に、上記キャップ（４）の上記チューブ連
結孔（１１）に基端が嵌着された可撓性チューブ（５）と、
上記ペットボトル（３）の下部が、上方から挿入される上方開口状のボトル受け部（２
）と、
上記ボトル受け部（２）を上面に固着した底板（１）と、
アルミニウム等の柔軟な金属の線材で作製され、該底板（１）から上方へ立設されて、その上端及び中間高さに設けた螺旋状受け部（１０）により上記チューブ（５）を保持する支柱体（７）と、
を備えたことを特徴とする尿受け装置。
【請求項２】
上記チューブ（５）が挿入される金属製のチューブ保護用コイル体（９）を付設した請
求項１記載の尿受け装置。
【請求項３】
上記ボトル受け部（２）は、上記ペットボトル（３）の下部が、密嵌状に挿入される枡
形である請求項１又は２記載の尿受け装置。
【請求項４】
保管用袋（３１）に尿受け装置全体が収納される請求項１，２，又は３記載の尿受け装置。
【手続補正２】
【補正対象書類名】明細書
【補正対象項目名】全文
【補正方法】変更
【補正の内容】
【発明の詳細な説明】
【技術分野】
【０００１】
本発明は、尿受け装置に関する。
【背景技術】
【０００２】
従来、ペットボトル利用の尿瓶として、ペットボトルを逆さ、又は横向きで、上面に開
口部を設けて尿受けとして用いたものが知られている（特許文献１参照）。
【先行技術文献】
【特許文献】
【０００３】
【特許文献１】特開２００２−９５６０８号公報
【発明の概要】
【発明が解決しようとする課題】
【０００４】
しかし、特許文献１記載の尿瓶は、尿受け部が開いており、周囲に尿臭が拡散して使用
者の周囲に不快感を与える欠点があった。特に、渋滞時等に乗用車内で尿瓶を使用する場
合、車内空間の狭さから、同乗者に不快感を与えるという問題があった。
【０００５】
そこで、本発明は、尿臭の拡散を防止し、周囲に不快感を与えず（渋滞時等の）車内及
び室内で使用できる尿受け装置を提供することを目的とする。さらに、高齢者等の身体弱
者も、ベッドの上で眠っている間も（お洩らしせずに）安心して熟睡できるようにするこ
とを目的とする。また、年齢を重ねると、夜中にトイレへ行く回数が多くなり、トイレま
での辛抱ができず洩らすことがあるため、ベッドから離れずに用を足せる便利が良い尿受
け装置を提供することを目的とする。
【課題を解決するための手段】
【０００６】
本発明に係る尿受け装置は、男性の泌尿器に外嵌される弾性サック状の尿受け具と、該尿受け具の大径部の内側に内嵌され、大径部の長さの４０〜８０％の幅寸法を有する補強用輪切円形環と、使い捨て自在なペットボトルと、上記ペットボトルの雄ねじに着脱自在に螺着可能な雌ねじを有し、かつ、エア抜き小孔及びチューブ連結孔を有するキャップと、上記尿受け具に先端が取付られると共に、上記キャップの上記チューブ連結孔に基端が嵌着された可撓性チューブと、上記ペットボトルの下部が、上方から挿入される上方開口状のボトル受け部と、上記ボトル受け部を上面に固着した底板と、アルミニウム等の柔軟な金属の線材で作製され、該底板から上方へ立設されて、その上端及び中間高さに設けた螺旋状受け部により上記チューブを保持する支柱体と、を備えたものである。
【０００７】
また、上記チューブが挿入される金属製のチューブ保護用コイル体を付設したものであ
る。
また、上記ボトル受け部は、上記ペットボトルの下部が、密嵌状に挿入される枡形であ
る。
また、保管用袋に尿受け装置全体が収納されるものである。
【発明の効果】
【０００８】
本発明の尿受け装置によれば、高齢者や体の弱った人（身体弱者ということもある）が
、睡眠時にも尿を洩らす心配をせずに済み、安眠可能となる。また、尿臭の拡散を防止し
、周囲に不快感を与えずに室内、又は渋滞時等の車内で使用できる。ペットボトルは使い
捨て自在であるので、数回で捨てて、新しいものに容易に交換して、尿臭の発生を低減で
きる。
【図面の簡単な説明】
【０００９】
【図１】本発明の実施の一形態を示す斜視図である。
【図２】キャップ近傍の詳細構造を示す要部拡大図である。
【図３】本発明の尿受け装置の使用状態を示す正面図である。
【図４】本発明の尿受け装置の使用状態を示す側面図である。
【図５】本発明の他の実施の形態を示す斜視図である。
【図６】尿受け具の他の実施の形態を示す図であり、（Ａ）は側面図、（Ｂ）は変形例の断面図である。
【図７】本発明の尿受け装置の保管袋を示す全体図である。
【図８】変形例を示した要部斜視図である。
【発明を実施するための形態】
【００１０】
以下、図示の実施の形態に基づき本発明を詳説する。
図１、図２に示した実施の形態に於て、１は、全体を支えるための底板であり、２は、
ペットボトル３を受けて保持するためのボトル受け部であり、ボトル受け部２は平面視正
方形として底板１の上面に接着剤、クギ、又はネジ等で固着される。なお、ボトル受け部
２は、接着剤等による固着前は底壁のない前後左右の側壁のみとして、底板１に接着する
ことで枡形とするか、あるいは、予め底壁部を有する枡形としておいて、これを底板１に
接着してもよい。なお、底板１とボトル受け部２とを樹脂製で一体に形成してもよい。
いずれにせよ、ボトル受け部２は、市販の使い捨て自在なペットボトル３の下部が、上
方から挿入され、鉛直に保持する上方開口状であり、しかも、このボトル受け部２の内寸
法は、ペットボトル３の下部が密嵌状に挿入されて、ペットボトル３が、がたつかずに鉛
直姿勢を保つ。
【００１１】
５は可撓性チューブであり、透明な軟質プラスチック（樹脂）とする。４は、（市販の
）ペットボトル３の雄ねじに着脱自在に螺着可能な雌ねじを有するキャップである。この
キャップ４は、エア抜き小孔８及びチューブ連結孔１１を有する。
可撓性チューブ５の先端には、男性の泌尿器に外嵌される弾性サック状の尿受け具６が
取着される。また、尿受け具６は、具体的には、男性の泌尿器が挿入される大径部６Ａと
、チューブ５の先端が挿入固着される小径の短管状部６Ｂとから成る。
【００１２】
そして、キャップ４のチューブ連結孔１１にチューブ５の基端が嵌着される。また、底
板１から上方へ支柱体７が立設されている。この支柱体７によって、チューブ５を適切な
形状となるように、引掛け状に保持することができる。
そして、９は、チューブ５が挿入される金属製のチューブ保護用コイル体である。
【００１３】
図１、図３に示すように、底板１に立設された（金属線材製等の）支柱体７は、その上
端（さらには所望により中間高さ）に、チューブ５を引掛けることができる螺旋状受け部
１０を設けている。なお、螺旋状受け部１０に対して、チューブ５を引掛ける場合として
は、チューブ５の未使用時、あるいは、使用状態下で長さが余って垂みがでる時、又は尿
がスムースにペットボトル３に流れ易いように（できるだけ）垂みを生じないで上方から
下方へ傾斜をつけたい時である。
この支柱体７は、アルミニウム等の柔軟な金属の線材から作製することが好ましい。即
ち、身体弱者が、この支柱体７の上に、万一倒れ込んでも怪我をしないという利点がある
。なお、図８に示すように、支柱体７の基端部にネジ７Ａを形成し、底板１に埋設したナ
ット１Ａに螺合させる構造とするも好ましい。これにより、尿受け装置をコンパクトに梱
包して流通させることができ、また、収納状態をコンパクトにできる。
【００１４】
図２は、キャップ４の周辺部分を示す拡大図であり、繰り返しての説明となるが、キャ
ップ４は、尿が流入しやすくするためにエア抜き小孔８を有し、チューブ５は、圧迫を受
けた際に変形、破損を防ぐための保護用コイル体９により補強されている。
使用時には、チューブ５の先端乃至は中間部位を支柱体７からはずして尿受け具６で尿
を受け、チューブ５を通してペットボトル３に流し込む。この際、キャップ４に形成され
た小孔８によりエアが抜けて、尿が速やかにペットボトル３に流れこみ、一時貯蔵される
。
【００１５】
図３と図４に、本発明の尿受け装置の使用状態を示す。本図においては、ベッドに寝た
状態の使用者（高齢者等、夜間の尿漏れの不安がある者）が尿受け具６を泌尿器に装着し
、夜間の尿漏れに対応している状態を示している。ペットボトル３は、ボトル受け部２に
嵌着され、ボトル受け部２は、底板１に支えられて、夜間にペットボトル３が倒れる心配
がない。また、ペットボトル３を保持するボトル受け部２が存在することで、いつでも使
用でき、かつ、数回使用して、トイレへ流しにペットボトル３のみをもってゆけば、ペッ
トボトル３の簡易な洗浄にて再利用できる（リサイクルトイレということができる）。ま
た、チューブ５は、保護用コイル体９により補強されているため、使用者が睡眠中に体の
一部で圧迫しても閉塞されず、スムースに尿が流れる利点がある。また、ペットボトル３
は、所望により、取り替え自在（使い捨て自在）であり、常に衛生的な状態で使用できる
。
【００１６】
図５は、本発明の他の実施形態を示す。本実施形態では、（図１〜図３で示したボトル
受け部２及び底板１（及び支柱体７）が省略されている。本実施形態は、車両等の内部で
、渋滞時等に使用するために携帯するも好適である。使用者は尿受け具６を泌尿器に装着
し、尿を速やかにペットボトル３に流し込み、一時貯蔵する。
その後、尿を廃棄できる場所に到着したときにペットボトル３内の尿を廃棄する。
あるいは、図５に図示のものを、（図示省略の）吊り下げ具等で携帯して、屋内で移動
する際や、テレビ等を鑑賞する際に使用するにも好適である。
【００１７】
ところで、図１又は図３〜図５において、キャップ４には、図２の要部拡大図に示す如
く、チューブ連結孔１１とエア抜き小孔８を有しているが、別途、このような連結孔１１
と小孔８の明いていない（市販の）通常のキャップを準備しておくのが望ましい。即ち、
尿の入ったペットボトル３内の尿をトイレへ捨てに行く際に、元の上記キャップ４を離脱
して、代りに、この（市販の）通常のキャップを施蓋すれば、尿をこぼすことなくトイレ
へ持って行くことができて、望ましい。特に、車内では、好都合である。なお、トイレで
中味（尿）を捨てて再利用（リサイクル）も可能である。
【００１８】
図６は、尿受け具６の他の実施形態を示す。本実施形態では、図６（Ａ）に示すように
、尿受け具６の大径部６Ａに外嵌され、大径部６Ａの長さＬの４０％〜８０％の幅寸法Ｗ
を有する補強用輪切円形環２１を、備える。
輪切円形環２１は、樹脂又は硬質のゴムから成り、適度の強度と柔軟性を有する。そし
て、弾性サック状の尿受け具６が、横断面形状が円形から偏平状態となって、上端が垂れ
下がる方向に変形することを防止し、尿受け具６でより容易かつ確実に尿を受けることを
可能にするものである。
輪切円形環２１は、大径部６Ａの長さＬの４０％〜８０％の幅寸法Ｗを有することが望
ましい。下限値より小さいと、尿受け具６の補強効果が弱くなり、上限値より大きいと、
尿受け具６全体の剛性が高くなり、使用しにくくなる。
なお、輪切円形環２１は、図６（Ｂ）の変形例に示すように、大径部６Ａの内側に内嵌
されるもよい。この場合、弾性サック状の尿受け具６の弾性により輪切円形環２１の保持
性がよりよくなる。
【００１９】
なお、図７に示すように、尿受け装置を使用しないときには、保管用袋３１に、尿受け
装置全体を収納しておくことが、衛生上及び美観上の観点から望ましい。保管用袋３１の
材質は、繊維で織られた布等の通気性のあるものが好ましい。
【００２０】
本発明は、上述の実施例に限定されず、例えば、ボトル受け部２の形状は、枡形に限ら
ず、ペットボトル３が安定して嵌着される平面視円形や六角形等の形状であっても自由で
ある。また、ペットボトル３も、飲料を消費した後の市販のペットボトルを使用でき、そ
の形状も特に制限されない。また、図１，図２，図５に示したコイル体９は、省略しても
良い場合もある。例えば、チューブ５に圧迫力等を受けない場合には省略する。
【００２１】
本発明は以上詳しく説明したように、男性の泌尿器に外嵌される弾性サック状の尿受け具６と、該尿受け具６の大径部６Ａの内側に内嵌され、大径部６Ａの長さＬの４０〜８０％の幅寸法Ｗを有する補強用輪切円形環２１と、使い捨て自在なペットボトル３と、上記ペットボトル３の雄ねじに着脱自在に螺着可能な雌ねじを有し、かつ、エア抜き小孔８及びチューブ連結孔１１を有するキャップ４と、上記尿受け具６に先端が取付られると共に、上記キャップ４の上記チューブ連結孔１１に基端が嵌着された可撓性チューブ５と、上記ペットボトル３の下部が、上方から挿入される上方開口状のボトル受け部２と、上記ボトル受け部２を上面に固着した底板１と、アルミニウム等の柔軟な金属の線材で作製され、該底板１から上方へ立設されて、その上端及び中間高さに設けた螺旋状受け部１０により上記チューブ５を保持する支柱体７と、を備えたので、尿受け具６が偏平状態となって上端部が垂れ下がることを防止でき、使用が容易である。また、高齢者等が夜間の睡眠中の尿漏れに対応でき、尿を洩らす心配をせずに済み、安眠できる。また、目が覚めた時には、ベッドの近くで、立って使用し、あるいは、ベッドの端に座って使用できる。また、ペットボトル３が取り替え自在（使い捨て自在）であるため、常に衛生的な状態で使用でき、さらに、尿臭の発生を低減できる。
【００２２】
また、上記チューブ５が挿入される金属製のチューブ保護用コイル体９を付設したので
、使用者が睡眠中に体の一部で圧迫したり、あるいは、使用者が起き上がる際に、チュー
ブ５を圧迫しても、チューブ５が尿を堰止めることを防止することができる。さらに、チ
ューブ５が破損することがない。
【００２３】
また、上記ボトル受け部２は、上記ペットボトル３の下部が、密嵌状に挿入される枡形
であるので、人が不意に衝突しても（当たっても）、ペットボトル３が転倒することがな
い。
【００２４】
また、尿受け装置全体を保管用袋３１に収納しておくため、使用時以外の場合において
衛生及び美観を維持できる。
【符号の説明】
【００２５】
１  底板
２  ボトル受け部
３  ペットボトル
４  キャップ
５  チューブ
６  尿受け具
６Ａ  大径部
７  支柱体
８  エア抜き小孔
９  コイル体
１０  螺旋状受け部
１１  チューブ連結孔
２１  輪切円形環
３１  保管用袋